(57)【特許請求の範囲】
【請求項１】
リファレンスパッチと複数の光源のそれぞれに対応したサンプルパッチとを含む光源推定チェックパターンを用いて光源を推定する色処理方法であって、
含まれるサンプルパッチの情報が対応する複数の光源の種類がカテゴリに応じて異なる光源チェックパターン情報を、複数のカテゴリのそれぞれに対応させて保持し、
前記保持されている複数の光源チェックパターン情報から、カテゴリを選択するユーザ指示に応じた光源チェックパターン情報を選択し、
前記選択された光源チェックパターン情報を用いて、画像出力装置を用いて前記光源チェックパターンを出力し、
ユーザ指示に基づき、リファレンスパッチと色が近い知覚されたサンプルパッチの種類を識別し、
前記識別された前記サンプルパッチの種類から光源を推定し、
前記推定された光源に応じた色処理を行うことを特徴とする色処理方法。
【請求項２】
前記リファレンスパッチと前記サンプルパッチとの色差が、該サンプルパッチが対応する光源の下ではほぼ１以下であり、該サンプルパッチが対応する光源以外の光源の下では３以上であることを特徴とする請求項１記載の色処理方法。
【請求項３】
前記光源推定チェックパターンは、画像出力装置を用いて出力され、
前記画像出力装置に対応して前記サンプルパッチを該画像出力装置に出力させるための色データを保持することを特徴とする請求項１又は請求項２記載の色処理方法。
【請求項４】
前記複数の光源のそれぞれに対応した複数の色処理条件を保持することを特徴とする請求項１乃至請求項３の何れか１項に記載の色処理方法。
【請求項５】
前記サンプルパッチは、特定の照明光源下でのみリファレンスパッチと等色関係が成立するメタメリズムを利用して作成されることを特徴とする請求項１乃至請求項４の何れか１項に記載の色処理方法。
【請求項６】
前記画像出力装置は、Ｃ、Ｍ、Ｙ、Ｋおよび他の種類の色材を用いて、画像を出力することを特徴とする請求項３記載の色処理方法。
【請求項７】
コンピュータが読み取り可能に記録媒体に記録された請求項１乃至６のいずれか１項に記載の色処理方法を実現するためのプログラム。
【請求項８】
リファレンスパッチと複数の光源のそれぞれに対応したサンプルパッチとを含む光源推定チェックパターンを用いて光源を推定する光源推定装置であって、
含まれるサンプルパッチの情報が対応する複数の光源の種類がカテゴリに応じて異なる光源チェックパターン情報を、複数のカテゴリのそれぞれに対応させて保持する保持手段と、
前記保持されている複数の光源チェックパターン情報から、カテゴリを選択するユーザ指示に応じた光源チェックパターン情報を選択する選択手段と、
前記選択された光源チェックパターン情報を用いて、画像出力装置を用いて前記光源チェックパターンを出力する出力手段と、
ユーザ指示に基づき、リファレンスパッチと色が近い知覚されたサンプルパッチの種類を識別する識別手段と、
前記識別された前記サンプルパッチの種類から光源を推定する光源推定手段と、を有することを特徴とする光源推定装置。
【発明の詳細な説明】
【技術分野】
【０００１】
本発明は、ユーザの目視結果を用いて光源推定を行うものに関する。
【背景技術】
【０００２】
従来、プリンタ等の出力機器を用いて、入力画像を忠実にカラーマッチングする場合、測色的色再現を行ってきた。測色的色再現とは、二つの物体の分光反射特性が異なっていたとしても、ある照明光源下において物体の三刺激値が等しければ、それらを同じ色として知覚するといった人間の視覚特性（以下、「メタメリズム」という）を利用した色再現方法である。
【０００３】
以下、測色的色再現を詳細に説明する。
【０００４】
図１２に示すように、光源から発せられた光が物体に入射し、その反射光が人間の眼に入射する。この入射した光は、人間の眼の網膜上に存在する３つの錘状体と呼ばれる細胞によって、色信号に変換される。そして、これら色信号の強さによって人間は色を知覚している。これら色信号は三刺激値と呼ばれ、三刺激値ＸＹＺは、照明光源の分光分布をｓ(λ)、物体の分光反射率をｏ(λ)、人間の眼の分光感度特性をＣＩＥ（国際照明委員会）によって定められた等色関数とした場合、下式で表すことができる。
【０００５】
【数１】
0004574533.tif 000002
【０００６】
ここで、積分範囲は可視光領域の３８０〜７３０ｎｍであり、ｋは基準化係数である。
【０００７】
すなわち、測色的色再現では、上式で計算されるオリジナル色のＸＹＺ値と再現色のＸＹＺ値を一致させることによりカラーマッチングを行う。しかしながら、上式で示されるように、ＸＹＺ値は照明光源に依存している。そのため、オリジナル色と再現色のＸＹＺ値は、ある照明光源下において一致していたとしても、異なる照明光源下においてＸＹＺ値が一致するとは限らない。つまり、測色的色再現では、特定の照明光源下でしか色再現精度が保証されていない。そこで、プリンタ等の印刷の分野では、ＣＩＥが規定する標準補助光源Ｄ５０等を基準の照明光源とし、また、ディスプレイ等の表示出力の分野では、標準光源Ｄ６５を基準の照明光源として、照明光源を統一することで色設計を行っている。
【０００８】
ここで、色設計に用いるＣＩＥ標準光源Ｄ６５の光源やＣＩＥ標準補助光源Ｄ５０の光源は、太陽光を近似した光源であり、蛍光灯等の人工光源では完全に再現することができない。これに対処するために、演色と呼ばれる技術が用いられる。演色とは、人工的にＣＩＥ標準光源Ｄ６５やＣＩＥ標準補助光源Ｄ５０の光源に近い光源を作り出すことである。現在、一般的に照明光源として用いられる蛍光灯には、高演色型、三波長型、普通型等の種類がある。
【０００９】
高演色型は、目標の光源に対して分光情報まで近似することで、高い演色性である反面、高価である。一方、三波長型は、目標の光源に対して色度のみを近似することで、それほど高い演色性ではないが、安価で広く一般家庭で用いられている。この高演色型や三波長型の蛍光灯は同じ目標光源を演色しているにも係らず、各光源下で色再現を行った場合、特に目標の光源と演色性の低い三波長等では、高精度な色再現が行えないと言った問題があった。つまり、ユーザが高精度な色再現を行うためには、照明環境もできるだけ設計時と同じにしなければならない。例えば、印刷物を高精度に色再現するためには、ＣＩＥ標準補助の光源Ｄ５０に高い演色性を示す高演色型昼白色蛍光灯を用いなければならず、ユーザにとって、大きな負担となる。
【００１０】
そこで、特許文献１に開示された色再現方法は、複数種類の照明光源に最適な色再現方法を用意し、色再現を行う照明光源に対応した色再現方法をユーザが選択することによりユーザが画像を観察する環境に最適な色再現方法を提供する。
【特許文献１】特開平１１-２３２４４４号公報
【発明の開示】
【発明が解決しようとする課題】
【００１１】
しかしながら、特許文献１の色再現方法では、ユーザが色再現を行う照明光源の種類を予め知っていなければならないといった負担が生じる。
【００１２】
本発明の目的は、光源推定用チェックパターンを目視によって評価することにより簡単に光源を推定できるようにすることにある。
【課題を解決するための手段】
【００１３】
上記目的を達成するために、請求項１記載の色処理方法は、リファレンスパッチと複数の光源のそれぞれに対応したサンプルパッチとを含む光源推定チェックパターンを用いて光源を推定する色処理方法であって、含まれるサンプルパッチの情報が対応する複数の光源の種類がカテゴリに応じて異なる光源チェックパターン情報を、複数のカテゴリのそれぞれに対応させて保持し、前記保持されている複数の光源チェックパターン情報から、カテゴリを選択するユーザ指示に応じた光源チェックパターン情報を選択し、前記選択された光源チェックパターン情報を用いて、画像出力装置を用いて前記光源チェックパターンを出力し、ユーザ指示に基づき、リファレンスパッチと色が近い知覚されたサンプルパッチの種類を識別し、前記識別された前記サンプルパッチの種類から光源を推定し、前記推定された光源に応じた色処理を行うことを特徴とする。
上記目的を達成するために、請求項８記載の光源推定装置は、リファレンスパッチと複数の光源のそれぞれに対応したサンプルパッチとを含む光源推定チェックパターンを用いて光源を推定する光源推定装置であって、含まれるサンプルパッチの情報が対応する複数の光源の種類がカテゴリに応じて異なる光源チェックパターン情報を、複数のカテゴリのそれぞれに対応させて保持する保持手段と、前記保持されている複数の光源チェックパターン情報から、カテゴリを選択するユーザ指示に応じた光源チェックパターン情報を選択する選択手段と、前記選択された光源チェックパターン情報を用いて、画像出力装置を用いて前記光源チェックパターンを出力する出力手段と、ユーザ指示に基づき、リファレンスパッチと色が近い知覚されたサンプルパッチの種類を識別する識別手段と、前記識別された前記サンプルパッチの種類から光源を推定する光源推定手段と、を有することを特徴とする。
【発明の効果】
【００１４】
本発明によれば、光源推定用チェックパターンを目視によって評価することにより簡単に光源を推定することができる。
【発明を実施するための最良の形態】
【００１５】
以下、実施形態の１例を図面を参照しながら詳述する。
【００１６】
（第１の実施形態）
図１は、第１の実施の形態に係るカラーマッチング処理装置を備えるシステムの構成を示すブロック図である。
【００１７】
図１において、パーソナルコンピュータ５は、カラーマッチング処理装置１、画像を出力するための画像出力部３、画像データを記憶している画像記憶部１１、及び後述する表示装置７にユーザインターフェース等を表示するためのＵＩ表示部８を備える。
【００１８】
カラーマッチング処理装置１は、カラープロファイルデータベース９、光源推定チェックパターンデータ記憶部２、画像入力部１２、カラープロファイル選択部１０と色変換部１３とを含む。カラープロファイルデータベース９は、様々な光源下において最適化されたカラープロファイルデータを格納する。光源推定チェックパターンデータ記憶部２は、光源推定チェックパターンデータ（図４）を記憶する。色変換部１３は、カラープロファイル選択部１０にて選択されたカラープロファイルを用いて、画像データを色変換する。
【００１９】
ＵＩ表示部８には表示装置７が接続されている。ＵＩ表示部８及びカラープロファイル選択部１０にはパーソナルコンピュータ５を操作するためのマウスやキーボード等のＰＣ操作装置６が接続されている。そして、画像出力部３にはインクジェットプリンタ等の画像出力装置４が接続されている。
【００２０】
＜全体の処理の流れ＞
図２は、図１におけるカラーマッチング処理装置１によって実行されるカラーマッチング処理の手順を示すフローチャートである。
【００２１】
まず、ＵＩ表示部８にて、下記図３のユーザインターフェースを表示装置７に表示する（ステップＳ２０１）。  図３は、ユーザインターフェースを説明する図である。
【００２２】
サムネイル表示部４０１は、チェックパターンのサムネイルを表示する。評価チェックボックス４０２は、ユーザがチェックパターンを評価した結果を指示するためのチェックボックスを有する。チェックパターン出力ボタン４０３は、光源推定チェックパターンの出力を指示するためのボタンである。決定ボタン４０４は、評価チェックボックス４０２の結果を決定するためのボタンである。本実施の形態では、画像出力装置４として、シアン（Ｃ）、マゼンタ（Ｍ）、イエロー（Ｙ）、ブラック（Ｋ）、レッド（Ｒ）、グリーン（Ｇ）の６色インクを搭載したインクジェットプリンタを用いる。画像出力装置はこれに限らず、電子写真方式のプリンタなど他のプリンタでも構わない。
【００２３】
図２に戻り、図３のＵＩにおいて、光源推定のためにチェックパターン出力ボタン４０３が押されると（ステップＳ２０２でＹＥＳ）、図４の光源推定チェックパターンを、画像出力装置４を用いて出力する（ステップＳ２０３）。この出力された光源推定チェックパターンをユーザが評価し、評価結果を評価チェックボックス４０２を用いて指示する（ステップＳ２０４）。
【００２４】
決定ボタン４０４が押されると（ステップＳ２０５でＹＥＳ）、ステップＳ２０４にて評価された結果に基づいて後述する照明光源推定を行う。そして、カラープロファイル選択部１０は、推定された照明光源に対応するカラープロファイルをカラープロファイルデータベース９から選択する（ステップＳ２０６）。
【００２５】
色変換部１３は、ステップＳ２０６において選択されたカラープロファイルを用いて、画像データに対して色変換を行う（ステップＳ２０７）。ステップＳ２０７において色変換が行われた画像データを画像出力部３を介して画像出力装置４に出力することにより、画像を出力する（ステップＳ２０８）。
【００２６】
図２の処理によれば、光源推定チェックパターンを用いて、簡単に光源を推定することができる。そして、推定された光源に応じたカラープロファイルを用いて色変換するので、実際の光源に適した色変換を行なうことができ、高品質な出力画像を得ることができる。
【００２７】
＜光源推定チェックパターン＞
図４は、図２のステップＳ２０３で出力される光源推定チェックパターンの一例を説明する図である。
【００２８】
図４において、光源推定チェックパターン３０１は、リファレンスパッチ３０２と、サンプルパッチ３０３とを有する。そして領域１〜４（３０４〜３０７）は、リファレンスパッチとサンプルパッチの対を示す。  図５は、図４の領域１〜４におけるリファレンスパッチとサンプルパッチの色差を説明する図である。図５は、照明光源が高演色型昼白色光源、三波長型昼白色光源、Ａ光源、Ｃ光源と異なる場合における、図４の領域１〜４のリファレンスパッチとサンプルパッチの色差の変化を示す。このような変化を示すインク量の組み合わせデータが光源推定チェックパターンデータ記憶部２に記憶されており、ステップＳ２０３において、画像出力部３にて、画像出力装置４を用いて出力される。
【００２９】
ユーザによって領域１が選択された場合は、光源が高演色型昼白色であると推定する。同様に、領域２が選択された場合は３波長型昼白色、領域３が選択された場合はＡ光源、領域４が選択された場合はＣ光源であると、光源を推定する。  図６は、図４の光源推定チェックパターンの作成方法を説明する図である。
【００３０】
図４の本光源推定チェックパターンは、メタメリズムを利用して作成される。オリジナルのパッチと再現したパッチを見比べた場合、メタメリズムによって、特定の照明光源下で同じ色に見えるのに対して、それ以外の照明光源下では異なる色に見える。
【００３１】
図６に、画像出力装置４で用いるＣ，Ｍ，Ｙ，Ｋ，Ｒ，Ｇの６色インクの分光反射率を示す。ここで、この６色インクを夫々２５６階調で組み合わせた場合、２５６の６乗通りのインクの組み合わせが存在することになる。（ただし、紙上に打ち込めるインク量は制限があるため実際には、すべての組み合わせを実現できるわけではない。）この時、Ｄ５０光源下におけるＣＩＥ-Ｌ＊ａ＊ｂ＊値の等しくなるインクの組み合わせは、複数存在する。しかし、同じＣＩＥ-Ｌ＊ａ＊ｂ＊を示していたとしても、インクの組み合わせが異なるために、分光反射率は異なる。そのため、Ｄ５０光源下において一致していたとしても、他の光源下でＣＩＥ-Ｌ＊ａ＊ｂ＊値が一致するとは限らない。つまり、同じ色と知覚されるとは限らない。
【００３２】
この現象の１例を説明する。マクベスカラーチェッカーのBlackをオリジナル色として、Ｄ５０光源下においてＣＩＥ-Ｌ＊ａ＊ｂ＊が一致するインクの組み合わせの一つ求め、各光源における色差の変化を図７に示す。
【００３３】
図７に示すように高演色型昼白色蛍光灯下では、色差が１.０以下であるのに対して、それ以外の照明光源下では色差が３.０以上となる。一般に、二つ色の色差が３.０以上の場合、人はその二つの色の違いをはっきりと知覚できる。つまり、図７に示すインクの組み合わせでは、高演色型昼白色蛍光灯下において、オリジナル色と再現色を見比べた場合に、メタメリズムによって、同じ色に見えるのに対して、それ以外の光源で見た場合に、異なる色として見える。
【００３４】
光源推定チェックパターンは、オリジナル色と再現色が特定の光源のみで等しく見え、それ以外では異なって見えるインクの組み合わせを用いて作成する。
【００３５】
また、本実施の形態では、色差の算出にはΔＥ９４を用いている。さらに、等しく見える色差をΔＥ９４≒１、異なって見える色差ΔＥ９４＞３.０としている。
【００３６】
＜照明光源推定＞
照明光源の推定方法は、図４において、画像出力装置４を用いて出力した光源推定チェックパターンを目視し、領域１〜４（３０３〜３０７）のリファレンスパッチ３０２とサンプルパッチ３０３のうち最も近い色として見える組を選択することで行う。
【００３７】
上述した光源推定パターンを任意の照明光源下にいるユーザが見た時、領域１〜４におけるリファレンスパッチとサンプルパッチの色差が大きい場合、異なる色として知覚される。色差が小さい場合には、同じ色として知覚される。つまり、リファレンスパッチとサンプルパッチの色が最も近い組み合わせについて、上述したユーザインターフェース上の評価チェックボタン４０２にチェックを入れることになる。
【００３８】
例えば、リファレンスパッチとサンプルパッチの照明光源変化による色差が図５のように変化し、高演色型昼白色蛍光灯下で光源推定チェックパターンを観測した場合を考える。この時、領域１のみリファレンスパッチとサンプルパッチは同じ色として知覚され、領域２〜４についてはリファレンスパッチとサンプルパッチが異なると知覚される。よって、照明光源が、領域１に対応する高演色型昼白色蛍光灯であると推定することができる。
このように、ユーザが任意の照明光源下において、光源推定チェックパターンを目視評価することによりでユーザが画像を観察する照明光源を推定することができる。
【００３９】
（第２の実施形態）
図８は、第２の実施の形態に係るカラーマッチング処理装置を備えるシステムの構成を示すブロック図である。
【００４０】
本実施の形態は、上述した光源推定チェックパターンデータ及びカラープロファイルの選択処理を、ネットワークを経由してサーバ側で処理することを可能とする構成に係るものである。
【００４１】
図８のシステムは、サーバ６０１（外部機器）とパーソナルコンピュータ（ＰＣ）６０９がネットワークを介して接続されている。パーソナルコンピュータ（ＰＣ）６０９には、インクジェットプリンタ等の画像出力装置６１０、デジタルカメラやスキャナ等の画像入力装置６１１、マウスやキーボード等のＰＣ操作装置６１２、及びディスプレイ等の表示装置６１３が接続されている。
【００４２】
サーバ６０１は、カラーマッチング処理装置６０２と、通信部６０７とを備える。カラーマッチング装置６０２は、各光源において最適化されたカラープロファイルを格納するカラープロファイルデータベース６０４（格納手段）と、カラープロファイル選択部６０３と、光源推定チェックパターンデータを記憶する光源推定チェックパターンデータ記憶部６０５と、光源選択チェックパターン選択部６０６とを備える。カラープロファイル選択部６０３及び光源選択チェックパターン選択部６０６は夫々通信部６０７に接続されている。
【００４３】
＜全体の処理の流れ＞
図９は、図８におけるカラーマッチング処理装置６０２によって実行されるカラーマッチング処理の手順を示すフローチャートである。
【００４４】
図１０のユーザインターフェースを表示装置６１２に表示する（ステップＳ７０１）。
【００４５】
図１０は、図８における表示装置６１２に表示されるユーザインターフェースの一例を説明する図である。
【００４６】
図１０のユーザインターフェース（ＵＩ）は、図３のものとほとんど同じであり、相違点は、図１１に示す複数の光源カテゴリから所定の光源カテゴリを選択するための光源カテゴリ選択部８０３が追加されている点である。
【００４７】
これらの光源カテゴリは、図１１に示すように、ユーザのいる照明光源として、屋内、屋外、美術館のように大まかなカテゴリに分かれている。光源推定チェックパターン選択部６０６は、光源カテゴリ選択部８０３を用いて選択されたカテゴリに対応した光源推定チェックパターンを、光源推定チェックパターンデータベース６０５に格納されている光源推定チェックパターンから選択する。
【００４８】
図１０のＵＩにおいて、カテゴリ選択８０３が選択された（ステップＳ７０２でＹＥＳ）後に、チェックパターン出力ボタンが押されると（ステップＳ７０３でＹＥＳ）、Ｓ７０２にて選択された光源カテゴリ情報をデータ通信ネットワーク６０８を経由してサーバ６０１に送信する（ステップＳ７０４）。この送信された光源カテゴリ情報に基づいて、光源推定チェックパターン選択部６０６が光源推定チェックパターンデータ記憶部６０５から光源推定チェックパターンデータを選択（ステップＳ７０５）する。この選択された光源推定チェックパターンを通信部６０７にてデータ通信ネットワーク６０８を経由して送信（ステップＳ７０６）する。ＰＣ６０９は、この光源推定チェックパターンを受信し（ステップＳ７０７）、受信した光源推定チェックパターンを画像出力装置６１０を用いて出力する（ステップＳ７０８）。ユーザによってチェックされた評価チェックボックスを識別することにより、出力した光源推定チェックパターンに基づくユーザ評価を取得する（ステップＳ７０９）。
【００４９】
決定ボタン８０５が押されると（ステップＳ７１０でＹＥＳ）、ステップＳ７０９にて、ＰＣ６０９において評価された結果に基づいて光源推定を行い、サーバ６０1に推定された光源情報を送信する。そして、サーバ６０１において、カラープロファイル選択部６０３が、推定された光源に対応するカラープロファイルをカラープロファイルデータベース６０４から選択する。そして、サーバ６０１は、カラープロファイルをデータ通信ネットワーク６０２を介してＰＣ６０９に送信する（ステップＳ７１１）。
【００５０】
ＰＣ６０９は、画像入力装置６１１から画像データを入力し（ステップＳ７１２）、ステップＳ７１１にて選択されたカラープロファイルを用いて色変換する（ステップＳ７１３）。そして、色変換した画像データを画像出力装置６１０を用いて画像出力させる（ステップＳ７１４）。
【００５１】
図９の処理によれば、ＰＣ６０９において、膨大なカラープロファイルを用意する必要をなくすことができる。ユーザが簡単なカテゴリを指定するだけで膨大なカラープロファイルから光源カテゴリ毎に光源推定チェックパターンを出力し、ユーザが画像を観察する照明光源下で目視評価するだけで、より高精度に色再現を行うことができる。
【００５２】
（他の実施形態）
＜出力機器＞
上記実施の形態では、出力機器として、Ｃ,Ｍ,Ｙ,Ｋ,Ｒ,Ｇの６色を搭載したインクジェットプリンタを用いたが、これに限定するものではなく、照明光源の変化によって、オリジナル色と再現色の色変化を引き起こす出力パターンを出力できる出力機器であれば、これに限定されるものではない。
【００５３】
＜光源推定チェックパターン＞
上記実施の形態では、リファレンスパッチとサンプルパッチが同一メディアに出力されるとしたが、これに限らず、リファレンスパッチが予め用意されており、サンプルパッチを出力し見比べることで評価する形式でもよく、リファレンスパッチをモニタ等の出力機器に表示させ、サンプルチャートと見比べて評価する形式でもよい。
【００５４】
また、上記実施の形態では、代表的な光源として、高演色型昼白色蛍光灯、三波長型昼白色蛍光灯、Ａ光源、Ｃ光源等の推定例を示したが、これに限らずどんな光源であっても構わない。
【００５５】
＜光源推定チェックパターンの閾値設定＞
上記実施の形態では、色差としてΔE９４を用いたが、これに限定されないのは言うまでもない。例えばＣＩＥ-ΔE２０００を用いても構わない。
【００５６】
＜光源推定方法＞
上記実施の形態では、リファレンスパッチとサンプルパッチの色が等しくなるリファレンスパッチとサンプルパッチの組みを選択するとしたが、逆に、オリジナルパッチとサンプルパッチの色が異なる組みを選択するようにしてもよい。また、同じ（異なる）組を１つ選ぶのではなく、複数の組を選ぶようにしてもよい。つまり、メタメリズムを用いてリファレンスパッチとサンプルパッチの区別をつける形であれば、前記実施例に限定されるものではない。
【００５７】
＜画像データ＞
上記実施の形態では、画像入力装置のデジタルカメラやスキャナによって取得した画像としたが、これに限るものではなく、ＨＤ、ＣＤ、ＤＶＤ等の外部記憶装置によって取得した画像でも構わないし、グラフィック等でも構わない。つまり、画像データであればこれに限定されるものではない。
【００５８】
＜記憶媒体＞
なお、本発明は、複数の機器(例えばホストコンピュータ、インタフェイス機器、リーダ、プリンタ等)から構成されるシステムに適用しても、１つの機器からなる装置(例えば、複写機、ファクシミリ装置等)に適用してもよい。
【００５９】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００６０】
この場合、記憶媒体から読み出されたプログラムコード自体が前述した実施の形態の機能を実現することになり、そのプログラムコード及び該プログラムコードを記憶した記憶媒体は本発明を構成することになる。
【００６１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００６２】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００６３】
【図１】第１の実施の形態に係るカラーマッチング処理装置を備えるパーソナルコンピュータの構成を概略的に示すブロック図である。
【図２】図１におけるカラーマッチング処理装置によって実行されるカラーマッチング処理の手順を示すフローチャートである。
【図３】図１における表示装置に表示されるユーザインターフェースを説明する図である。
【図４】図２のステップＳ２０３で出力される光源推定チェックパターンの一例を説明する図である。
【図５】図４の領域１〜４におけるリファレンスパッチとサンプルパッチの色差を説明する図である。
【図６】図４の光源推定チェックパターンの作成方法を説明する図である。
【図７】照明光源（高演色型昼白色蛍光灯、三波長型昼白色蛍光灯、Ａ光源、Ｃ光源）を変化させた時のオリジナル色と再現色の色差変化を説明する図である。
【図８】第２の実施の形態に係るカラーマッチング処理装置を備えるシステムの構成を示すブロック図である。
【図９】図８におけるカラーマッチング処理装置によって実行されるカラーマッチング処理の手順を示すフローチャートである。
【図１０】図８における表示装置に表示されるユーザインターフェースの一例を説明する図である。
【図１１】図１０における光源選択部で選択されるべき複数の光源カテゴリを説明する図である。
【図１２】測色的色表現を説明する図である。
【符号の説明】
【００６４】
１、６０２  カラーマッチング処理装置
２  光源推定チェックパターンデータ記憶部
４，６１０  画像出力装置
５，６０９  パーソナルコンピュータ（ＰＣ）
７，６１３  表示装置
８  ＵＩ表示部
９，６０４  カラープロファイルデータベース
１０，６０３  カラープロファイル選択部
４０１  サムネイル表示部
４０２  評価チェックボックス
４０３  チェックパターン出力ボタン
４０４  決定ボタン
６０５  光源推定チェックパターン記憶部
６０６  光源推定チェックパターン選択部
６０７  通信部
【図１】
0004574533.tif 000003
【図２】
0004574533.tif 000004
【図３】
0004574533.tif 000005
【図４】
0004574533.tif 000006
【図５】
0004574533.tif 000007
【図６】
0004574533.tif 000008
【図７】
0004574533.tif 000009
【図８】
0004574533.tif 000010
【図９】
0004574533.tif 000011
【図１０】
0004574533.tif 000012
【図１１】
0004574533.tif 000013
【図１２】
0004574533.tif 000014